(57)【要約】【課題】吸込口の周囲の障害の有無に関わらずフィルターの容易な着脱を可能とする浴室乾燥機を得ること。【解決手段】浴室乾燥機１００は、送風機であるシロッコファン２と、送風機が収納された本体ケース３と、送風機の動作により浴室内から本体ケース３へ吸い込まれる空気流が通過する吸込口６を有する本体ベース４と、本体ベース４に着脱可能に取り付けられて吸込口６を被覆し、空気流が通過するフィルター１０と、を備える。本体ベース４は、吸込口６が向けられた前方からのフィルター１０の挿入および前方へのフィルター１０の抜き出しと、吸込口６の側方からのフィルター１０の挿入および側方へのフィルター１０の抜き出しとが可能とされてフィルター１０を保持する保持部を有する。【選択図】図１
2020159686.tif 000002
【特許請求の範囲】
【請求項１】
送風機と、
前記送風機が収納された本体ケースと、
前記送風機の動作により浴室内から前記本体ケースへ吸い込まれる空気流が通過する吸込口を有する本体ベースと、
前記本体ベースに着脱可能に取り付けられて前記吸込口を被覆し、前記空気流が通過するフィルターと、
を備え、
前記本体ベースは、前記吸込口が向けられた前方からの前記フィルターの挿入および前方への前記フィルターの抜き出しと、前記吸込口の側方からの前記フィルターの挿入および側方への前記フィルターの抜き出しとが可能とされて前記フィルターを保持する保持部を有することを特徴とする浴室乾燥機。
【請求項２】
前記保持部は、前記フィルターのうち前後方向に垂直な第１の方向における一端である第１端を含む第１部位が挿入される第１のレール部材と、前記フィルターのうち前記第１の方向における他端である第２端を含む第２部位が挿入される第２のレール部材とを有し、
前記第１のレール部材または前記第２のレール部材の前方に、前方から挿入される前記フィルターが当てられて前記フィルターの挿入をガイドするガイド部材が設けられていることを特徴とする請求項１に記載の浴室乾燥機。
【発明の詳細な説明】
【技術分野】
【０００１】
本発明は、浴室内から取り込まれた空気の浴室への循環と、浴室内から取り込まれた空気の浴室の外への排出とを可能とする浴室乾燥機に関する。
【背景技術】
【０００２】
従来、浴室内から取り込まれた空気を浴室内へ循環させる循環気流が通過する循環口と、浴室内から取り込まれた空気を浴室の外へ排出させる排気流が通過する排気口とを備える浴室乾燥機が知られている。浴室乾燥機は、浴室内からの空気をヒーターで温めて循環口へ温風を送る暖房運転と、浴室内からの空気を排気口へ送る換気運転と、浴室内からの空気を排気口へ送ると同時に循環口へ温風または涼風を送る乾燥運転とを行う。浴室乾燥機のうち、浴室内から取り込まれる空気流が通過する吸込口には、空気流とともに流動する塵埃を空気流から取り除くためのフィルターが着脱可能に取り付けられる。
【０００３】
浴室乾燥機には、吸込口が向けられた前方からのフィルターの挿入と前方へのフィルターの抜き出しとが行われるものがある。送風機を含む本体部と、本体部の浴室内側に開閉可能に取り付けられたフロントパネルとを備える浴室乾燥機では、フロントパネルを開いてから、前方からのフィルターの挿入と前方へのフィルターの抜き出しとが行われる。かかる浴室乾燥機は、フィルターの着脱のたびにフロントパネルの開閉を要することで、フィルターの着脱のための作業に手間を要することになる。
【０００４】
特許文献１には、矩形の平板を備えるフィルター取付部が吸込口に設けられ、矩形の各辺にフィルター挿入口が設けられている空調装置が開示されている。特許文献１の空調装置は、吸込口の側方の複数の方向からのフィルターの挿入と、吸込口の側方の複数の方向へのフィルターの抜き出しとが可能とされている。フロントパネルを備える浴室乾燥機では、本体部とフロントパネルとの間の隙間を通してフィルターの挿入とフィルターの抜き出しとが可能となることで、フロントパネルを閉じた状態でのフィルターの着脱が可能となる。
【先行技術文献】
【特許文献】
【０００５】
【特許文献１】特開２００４−１５０７１７号公報
【発明の概要】
【発明が解決しようとする課題】
【０００６】
浴室乾燥機は、壁あるいは照明器具など、フィルターの着脱の障害となる物が浴室乾燥機に隣接しており、フィルターの挿入および抜き出しのためのスペースが浴室乾燥機の側方に確保されていない場合に、側方からのフィルターの挿入と側方へのフィルターの抜き出しとが困難となる。かかる状況では、浴室乾燥機は、前方からのフィルターの挿入と前方へのフィルターの抜き出しとが可能であることが望ましいことになる。特許文献１の技術によると、前方からのフィルターの挿入と前方へのフィルターの抜き出しとが可能とされていないため、フィルターの着脱が困難となる場合がある。
【０００７】
本発明は、上記に鑑みてなされたものであって、吸込口の周囲の障害の有無に関わらずフィルターの容易な着脱を可能とする浴室乾燥機を得ることを目的とする。
【課題を解決するための手段】
【０００８】
上述した課題を解決し、目的を達成するために、本発明にかかる浴室乾燥機は、送風機と、送風機が収納された本体ケースと、送風機の動作により浴室内から本体ケースへ吸い込まれる空気流が通過する吸込口を有する本体ベースと、本体ベースに着脱可能に取り付けられて吸込口を被覆し、空気流が通過するフィルターを備える。本体ベースは、吸込口が向けられた前方からのフィルターの挿入および前方へのフィルターの抜き出しと、吸込口の側方からのフィルターの挿入および側方へのフィルターの抜き出しとが可能とされてフィルターを保持する保持部を有する。
【発明の効果】
【０００９】
本発明にかかる浴室乾燥機は、吸込口の周囲の障害の有無に関わらずフィルターを容易に着脱できるという効果を奏する。
【図面の簡単な説明】
【００１０】
【図１】本発明の実施の形態１にかかる浴室乾燥機の構成を示す図
【図２】図１に示す浴室乾燥機の要部を示す前方斜視図
【図３】図２に示す本体ベースからフロントパネルが開かれている状態の浴室乾燥機を示す図
【図４】図２に示す本体ベースから取り外されたフィルターの斜視図
【図５】図２に示す本体ベースのうち第２のレール部材を含む部分の断面図
【図６】図３に示す本体ベースのうちリブを含む部分を示す斜視図
【発明を実施するための形態】
【００１１】
以下に、本発明の実施の形態にかかる浴室乾燥機を図面に基づいて詳細に説明する。なお、この実施の形態によりこの発明が限定されるものではない。
【００１２】
実施の形態１．
図１は、本発明の実施の形態１にかかる浴室乾燥機１００の構成を示す図である。図２は、図１に示す浴室乾燥機１００の要部を示す前方斜視図である。浴室乾燥機１００は、浴室の天井に設置され、天井裏と浴室の外とを繋いで配設されたダクトに接続される。図１では、天井とダクトとの図示を省略している。なお、浴室乾燥機１００は、浴室の壁または窓に設置されるものであっても良い。
【００１３】
以下の説明にて、浴室乾燥機１００のうち後述する吸込口６が向けられている方向を前方とする。吸込口６から前方へ向かう方向とその逆方向とを合わせた方向を、前後方向とする。天井に設置される浴室乾燥機１００において、前後方向は、鉛直方向と一致する。また、前後方向に垂直な方向であって、後述する本体ベース４の側面４ｂ，４ｃに平行な方向を、第１の方向とする。前後方向および第１の方向に垂直な方向を、第２の方向とする。吸込口６から第１の方向へ向かう方向と吸込口６から第２の方向へ向かう方向とを側方とする。天井に設置される浴室乾燥機１００において、第１の方向と第２の方向とは、水平方向である。
【００１４】
浴室乾燥機１００は、送風機であるシロッコファン２と、シロッコファン２が収納された本体ケース３と、本体ケース３の浴室側に設けられた本体ベース４と、本体ベース４に取り付けられたフロントパネル５とを備える。本体ケース３および本体ケース３に収納されている構成要素と、本体ベース４とは、浴室乾燥機１００の本体部１を構成する。なお、図１には、本体ケース３に収納されている主な構成要素を模式的に示すとともに、本体ベース４およびフロントパネル５の側面構成を示している。シロッコファン２の駆動源であるファンモーター９と、後述のダンパー１２は、本体ケース３に収納されている。図２では、浴室乾燥機１００のうち本体ケース３の図示を省略している。
【００１５】
シロッコファン２は、ファンモーター９の駆動力を受けて回転して、空気流を発生させる。本体ベース４には、シロッコファン２の動作により浴室内から本体ケース３内へ取り込まれる空気流が通過する吸込口６が設けられている。また、本体ベース４には、浴室内から取り込まれた空気を浴室内へ循環させる循環気流が通過する循環口７が設けられている。本体ケース３の側面３ａには、浴室内から取り込まれた空気を浴室の外へ排出させる排気流が通過する排気口８が設けられている。排気口８は、ダクトに接続される。
【００１６】
浴室内から、天井に設けられた開口を通して天井裏へ本体ケース３が挿入されて本体ケース３が天井に固定され、本体ベース４が本体ケース３に固定されることで、本体部１は、吸込口６と循環口７とが浴室内の下方へ向けられた状態で天井に設置される。
【００１７】
本体ケース３内には、シロッコファン２から循環口７へ空気流を進行させる第１の風路１３と、シロッコファン２から排気口８へ空気流を進行させる第２の風路１４とが設けられている。ダンパー１２は、第１の風路１３と第２の風路１４との分岐に配置されている。ダンパー１２は、回転駆動により、第１の風路１３の開度と第２の風路１４の開度とを調節する。ヒーター１１は、循環口７に設置されている。ヒーター１１は、循環口７を通過する空気を加熱する。
【００１８】
浴室乾燥機１００は、浴室内からの空気をヒーター１１で温めて循環口７から温風を吹き出す暖房運転と、浴室内からの空気を排気口８から浴室の外へ排出する換気運転と、浴室内からの空気を排気口８から排出すると同時に循環口７から温風または涼風を吹き出す乾燥運転とを行う。浴室乾燥機１００は、ダンパー１２を駆動して、暖房運転と、換気運転と、乾燥運転との切り換えを行う。
【００１９】
フロントパネル５は、本体ベース４の前面４ａに対向させて配置されている。４つの連結部１５ａ，１５ｂ，１５ｃ，１５ｄは、本体ベース４とフロントパネル５とを連結する。２つの連結部１５ａ，１５ｂは、吸込口６に隣接する位置に設けられている。２つの連結部１５ｃ，１５ｄは、循環口７に隣接する位置に設けられている。なお、図２には、４つの連結部１５ａ，１５ｂ，１５ｃ，１５ｄのうち３つの連結部１５ａ，１５ｂ，１５ｃを示している。
【００２０】
図２に示す浴室乾燥機１００では、フロントパネル５は、フロントパネル５の四隅に設けられた４つの連結部１５ａ，１５ｂ，１５ｃ，１５ｄにより、支持されている。フロントパネル５は、前面４ａに平行とされ、かつ前面４ａから間隔が設けられて支持されている。連結部１５ａ，１５ｂ，１５ｃ，１５ｄによりフロントパネル５が支持されている状態において、浴室からの空気流は、本体ベース４とフロントパネル５との間に形成される隙間１９ａ，１９ｂ，１９ｃを通過してから、吸込口６へ進行する。隙間１９ａは、連結部１５ａと循環口７との間に設けられている。隙間１９ｂは、連結部１５ａと連結部１５ｂとの間に設けられている。隙間１９ｃは、連結部１５ｂと循環口７との間に設けられている。
【００２１】
フロントパネル５のうち循環口７に対向する位置には、循環口７から浴室への循環気流が通過する開口１６が設けられている。第１の風路１３からの循環気流は、循環口７と開口１６とを通って、浴室内へ進行する。
【００２２】
フロントパネル５は、本体ベース４に開閉可能に取り付けられている。図１および図２には、本体ベース４にフロントパネル５が閉じられている状態の浴室乾燥機１００を示している。
【００２３】
図３は、図２に示す本体ベース４からフロントパネル５が開かれている状態の浴室乾燥機１００を示す図である。図３には、４つの連結部１５ａ，１５ｂ，１５ｃ，１５ｄのうち３つの連結部１５ａ，１５ｃ，１５ｄを示している。
【００２４】
連結部１５ａは、本体ベース４に固定されているヒンジ部１７ａと、フロントパネル５に固定されているヒンジ部１７ｂとを備える。ヒンジ部１７ａとヒンジ部１７ｂとは、互いに回転自在に接合されている。連結部１５ｂは、連結部１５ａと同様に構成されている。
【００２５】
連結部１５ｃは、本体ベース４に回転可能に固定されているクリップ１７ｃと、フロントパネル５に固定されている爪部１７ｄとを備える。クリップ１７ｃと爪部１７ｄとは、互いに嵌め合い可能とされている。また、クリップ１７ｃと爪部１７ｄとが嵌め合わせられた状態からクリップ１７ｃを回転させることで、クリップ１７ｃと爪部１７ｄとの嵌め合いが解除可能とされている。連結部１５ｄは、連結部１５ｃと同様に構成されている。
【００２６】
連結部１５ｃ，１５ｄにてクリップ１７ｃと爪部１７ｄとが嵌め合わせられていることで、フロントパネル５は、４つの連結部１５ａ，１５ｂ，１５ｃ，１５ｄにより本体ベース４に支持される。このとき、フロントパネル５は、本体ベース４にて閉じられている状態とされる。
【００２７】
連結部１５ｃ，１５ｄのクリップ１７ｃと爪部１７ｄとの嵌め合いが解除されると、連結部１５ｃ，１５ｄにおいて、本体ベース４側のクリップ１７ｃから、フロントパネル５側の爪部１７ｄが引き離し可能となる。連結部１５ｃ，１５ｄにて本体ベース４からフロントパネル５が引き離されることで、連結部１５ａ，１５ｂでは、本体ベース４側のヒンジ部１７ａに対してヒンジ部１７ｂが回転する。連結部１５ａ，１５ｂを中心にフロントパネル５を回転させることで、フロントパネル５は、本体ベース４から開かれる。フロントパネル５は、本体ベース４の前面４ａに垂直になるまで開かれる。
【００２８】
浴室乾燥機１００は、本体ベース４に着脱可能に取り付けられて吸込口６を被覆するフィルター１０を備える。本体ベース４は、吸込口６へ流動する空気流の向きに垂直にフィルター１０を保持可能とする。浴室内から吸込口６へ進行する空気流は、本体ベース４に取り付けられているフィルター１０を通過する。フィルター１０は、空気流とともに流動する塵埃を回収して、本体ケース３へ取り込まれる空気流から塵埃を除去する。
【００２９】
図２に示すようにフロントパネル５が閉じられている状態において、フィルター１０は、第２の方向へ向けられた隙間１９ａと隙間１９ｃとから本体ベース４へ挿入可能とされている。隙間１９ａには、本体ベース４の側面４ｂ側からフィルター１０が挿入される。隙間１９ｃは、本体ベース４の側面４ｃ側からフィルター１０が挿入される。また、フィルター１０は、本体ベース４から隙間１９ａと隙間１９ｃとへ抜き出し可能とされている。
【００３０】
矢印Ａは、第２の方向のうち、隙間１９ａにおいてフィルター１０が挿入される方向を示している。矢印Ｂは、第２の方向のうち、隙間１９ｃにおいてフィルター１０が挿入される方向を示している。矢印Ｂの方向は、矢印Ａの方向とは逆の方向である。隙間１９ａにおいて、フィルター１０は、矢印Ａの方向へ挿入され、矢印Ｂの方向へ抜き出される。隙間１９ｃにおいて、フィルター１０は、矢印Ｂの方向へ挿入され、矢印Ａの方向へ抜き出される。
【００３１】
図３に示すようにフロントパネル５が開かれている状態において、フィルター１０は、吸込口６の前方から本体ベース４へ挿入可能とされている。また、フィルター１０は、本体ベース４から吸込口６の前方へ抜き出し可能とされている。矢印Ｃは、前後方向のうち、フロントパネル５が開かれている状態においてフィルター１０が挿入される方向を示している。天井に設置された浴室乾燥機１００において、矢印Ｃの方向は鉛直上方向である。矢印Ｄは、前後方向のうち、フロントパネル５が開かれている状態においてフィルター１０が抜き出される方向を示している。天井に設置された浴室乾燥機１００において、矢印Ｄの方向は鉛直下方向である。
【００３２】
図４は、図２に示す本体ベース４から取り外されたフィルター１０の斜視図である。フィルター１０は、フィルター枠である外枠２０および内枠２５と、第１の取っ手である２つの取っ手２１ａ，２１ｂと、第２の取っ手である１つの取っ手２２と、外枠２０および内枠２５の間に設けられたフィルター面２３とを備える。
【００３３】
外枠２０は、フィルター１０の外縁部である。フィルター１０の外形は、長方形の四隅が丸く面取りされた形状をなしている。外枠２０のうち第１の方向における一端である第１端２６ａと、外枠２０のうち第１の方向における他端である第２端２６ｂとは、かかる長方形の長辺に相当する端である。外枠２０のうち第２の方向における一端である第３端２６ｃと、外枠２０のうち第２の方向における他端である第４端２６ｄとは、かかる長方形の短辺に相当する端である。第１部位２０ａは、外枠２０のうち第１端２６ａを含む部分である。第２部位２０ｂは、外枠２０のうち第２端２６ｂを含む部分である。第３部位２０ｃは、外枠２０のうち第３端２６ｃを含む部分である。第４部位２０ｄは、外枠２０のうち第４端２６ｄを含む部分である。
【００３４】
内枠２５は、外枠２０により囲まれた領域を複数の部分領域に仕切る。フィルター面２３は、各部分領域に設けられている。フィルター面２３は、空気から塵埃を濾過可能な網目状の樹脂である。フィルター面２３は、樹脂以外の材料であっても良い。図３には、４つの部分領域にフィルター面２３が設けられたフィルター１０を示している。内枠２５とフィルター面２３との配置の態様は、図４に示すとおりである場合に限られず、適宜変更しても良い。
【００３５】
取っ手２１ａは、外枠２０の第３部位２０ｃに設けられている。取っ手２１ｂは、外枠２０の第４部位２０ｄに設けられている。取っ手２２は、内枠２５のうち浴室内側へ向けられる面２５ａに垂直に立てられている。取っ手２２は、フィルター１０の中心位置に設けられている。
【００３６】
フィルター１０が本体ベース４に保持されている状態において、取っ手２１ａおよび取っ手２１ｂは、吸込口６の側方へ突出している。取っ手２１ａは、隙間１９ａに配置される。取っ手２１ｂは、隙間１９ｃに配置される。ユーザは、取っ手２１ａあるいは取っ手２１ｂを側方から掴んで引くことにより、本体ベース４から側方へフィルター１０を抜き出すことができる。
【００３７】
また、浴室乾燥機１００は、吸込口６の前方から本体ベース４へのフィルター１０の挿入と、本体ベース４から前方へのフィルター１０の抜き出しとが可能とされている。フィルター１０が本体ベース４に保持されている状態において、取っ手２２は、吸込口６の前方へ突出している。ユーザは、本体ベース４から取っ手２２を前方から掴んで引くことにより、本体ベース４から前方へフィルター１０を抜き出すことができる。
【００３８】
本体ベース４は、フィルター１０を保持する保持部である第１のレール部材３１ａおよび第２のレール部材３１ｂを備える。第１のレール部材３１ａおよび第２のレール部材３１ｂは、吸込口６の前方からのフィルター１０の挿入および前方へのフィルター１０の抜き出しと、吸込口６の側方からのフィルター１０の挿入および側方へのフィルター１０の抜き出しとが可能とされてフィルター１０を保持する。
【００３９】
第１のレール部材３１ａは、吸込口６のうち連結部１５ａと連結部１５ｂとに隣接する位置に設けられている。第２のレール部材３１ｂは、吸込口６のうち循環口７に隣接する位置に設けられている。第１のレール部材３１ａおよび第２のレール部材３１ｂは、吸込口６において互いに平行に配置されている。第１のレール部材３１ａおよび第２のレール部材３１ｂは、第１のレール部材３１ａに第１部位２０ａが挿入されるとともに第２のレール部材３１ｂに第２部位２０ｂが挿入されて、フィルター１０を保持する。
【００４０】
図５は、図２に示す本体ベース４のうち第２のレール部材３１ｂを含む部分の断面図である。図５には、本体ベース４と、本体ベース４に閉じられているフロントパネル５とを示している。第２のレール部材３１ｂは、本体ベース４の前面４ａに平行な中央部３２と、中央部３２から傾けられている傾斜部３３ａ，３３ｂとを備える。中央部３２は、第２の方向における吸込口６の中央に設けられている。
【００４１】
図５に示す断面において、中央部３２は、第２の方向に平行に設けられている。傾斜部３３ａは、第２のレール部材３１ｂのうち隙間１９ａ側の端部に設けられている。傾斜部３３ａは、中央部３２から矢印Ｂの方向へ向かうにしたがい前方へ向かうように傾けられている。傾斜部３３ｂは、第２のレール部材３１ｂのうち隙間１９ｃ側の端部に設けられている。傾斜部３３ｂは、中央部３２から矢印Ａの方向へ向かうにしたがい前方へ向かうように傾けられている。なお、第１のレール部材３１ａは、第２のレール部材３１ｂと同様に構成されている。
【００４２】
隙間１９ａからフィルター１０が取り付けられる場合、フィルター１０は、第１のレール部材３１ａの傾斜部３３ａと第２のレール部材３１ｂの傾斜部３３ａとに沿って斜めに挿入される。第１部位２０ａと第２部位２０ｂとは、傾斜部３３ａへ挿入されてからさらに押し込まれることで、傾斜部３３ａと中央部３２との境界にて折り曲げられながら中央部３２へ挿入される。これにより、フィルター１０は、中央部３２に配置される。隙間１９ａからフィルター１０が取り外される場合、フィルター１０は、取っ手２１ａが掴まれて、傾斜部３３ａに沿って斜めに引き抜かれる。
【００４３】
隙間１９ｃからフィルター１０が取り付けられる場合、フィルター１０は、第１のレール部材３１ａの傾斜部３３ｂと第２のレール部材３１ｂの傾斜部３３ｂとに沿って斜めに挿入される。第１部位２０ａと第２部位２０ｂとは、傾斜部３３ｂへ挿入されてからさらに押し込まれることで、傾斜部３３ｂと中央部３２との境界にて折り曲げられながら中央部３２へ挿入される。これにより、フィルター１０は、中央部３２に配置される。隙間１９ｃからフィルター１０が取り外される場合、フィルター１０は、取っ手２１ｂが掴まれて、傾斜部３３ｂに沿って斜めに引き抜かれる。
【００４４】
第１のレール部材３１ａと第２のレール部材３１ｂとに傾斜部３３ａ，３３ｂが設けられていることで、本体ベース４のうちフィルター１０の差し込み口となる部分が拡張されている。傾斜部３３ａ，３３ｂへフィルター１０が差し込まれてからは、傾斜部３３ａ，３３ｂに沿ってフィルター１０を押し込めることで、中央部３２へフィルター１０を導くことができる。浴室乾燥機１００は、傾斜部３３ａ，３３ｂが設けられていることで、側方から本体ベース４へフィルター１０を容易に挿入でき、かつ吸込口６に合わせてフィルター１０を容易に配置することができる。
【００４５】
浴室乾燥機１００は、本体部１とフロントパネル５との間の隙間１９ａ，１９ｃを通して側方からのフィルター１０の挿入と側方へのフィルター１０の抜き出しとが可能であることで、フロントパネル５を閉じた状態でのフィルター１０の着脱を行うことができる。浴室乾燥機１００は、フィルター１０の着脱のたびにフロントパネル５の開閉を要する場合に比べて、フィルター１０の着脱のための作業の手間を低減できる。浴室乾燥機１００は、隙間１９ａと隙間１９ｃとにおけるフィルター１０の挿入と抜き出しとが可能であることで、隙間１９ａが向けられた側と隙間１９ｃが向けられた側との一方にフィルター１０の挿入および抜き出しのためのスペースが確保されていれば、側方からのフィルター１０の挿入と側方へのフィルター１０の抜き出しとを行うことができる。
【００４６】
吸込口６の前方からフィルター１０が取り付けられる場合、フロントパネル５を開いて、前方から第１のレール部材３１ａへ第１部位２０ａが挿入されてから、前方から第２部位２０ｂが挿入される。第２のレール部材３１ｂの前方には、複数のリブ３５が設けられている。リブ３５は、前方から挿入されるフィルター１０が当てられてフィルター１０の挿入をガイドするガイド部材である。
【００４７】
図６は、図３に示す本体ベース４のうちリブ３５を含む部分を示す斜視図である。リブ３５は、循環口７の外壁面７ａと、第２のレール部材３１ｂとの間に立てられた直角三角形の板材である。リブ３５のうち第２のレール部材３１ｂと接する部分における外壁面７ａからの幅は、外壁面７ａと第２のレール部材３１ｂとの間の幅と同じである。これにより、リブ３５のうち直角三角形の斜辺に相当する傾斜面３５ａに沿ってフィルター１０の外枠２０を移動させることで、外枠２０を第２のレール部材３１ｂへ到達させることができる。複数のリブ３５は、第２のレール部材３１ｂのうち中央部３２の範囲に設けられている。複数のリブ３５は、第２の方向において互いに間隔を空けて配置されている。なお、図６に示す本体ベース４には、６個のリブ３５が設けられている。リブ３５の数および位置は、図６に示すとおりである場合に限られず、適宜変更しても良い。
【００４８】
吸込口６の前方からフィルター１０が取り付けられる場合において、第１のレール部材３１ａへ第１部位２０ａが差し込まれてから、傾斜面３５ａに第２部位２０ｂを当てながら、第２のレール部材３１ｂへ向けて第２部位２０ｂが押し込められる。フィルター１０を撓らせながら第２部位２０ｂを傾斜面３５ａにて滑らせることで、第２部位２０ｂは、第２のレール部材３１ｂへ導かれて、第２のレール部材３１ｂへ差し込まれる。第２部位２０ｂがリブ３５によって第２のレール部材３１ｂへ導かれることで、少ない力で第２のレール部材３１ｂへ第２部位２０ｂを挿入することができる。第１部位２０ａと第２部位２０ｂとが第１のレール部材３１ａと第２のレール部材３１ｂとへそれぞれ挿入されることにより、フィルター１０は、前方から本体ベース４へ取り付けられる。浴室乾燥機１００は、リブ３５が設けられていることで、前方から本体ベース４へフィルター１０を容易に挿入することができる。
【００４９】
吸込口６の前方へフィルター１０が取り外される場合、取っ手２２が掴まれてフィルター１０の中心が前方へ引っ張られてフィルター１０を撓らせることにより、第１のレール部材３１ａから前方へ第１部位２０ａが引き抜かれるとともに、第２のレール部材３１ｂから前方へ第２部位２０ｂが引き抜かれる。これにより、フィルター１０は、本体ベース４から前方へ取り外される。浴室乾燥機１００は、取っ手２２を掴んで前方へフィルター１０を引くことで、本体ベース４からフィルター１０を容易に抜き出すことができる。
【００５０】
フィルター１０の外枠２０のうち、図４に示す第１部位２０ａと第３部位２０ｃとの間の隅に、第１のレール部材３１ａの傾斜部３３ａへの外枠２０の干渉を回避可能に形成された面取り部２４ａが設けられている。外枠２０のうち第１部位２０ａと第４部位２０ｄとの間の隅に、第１のレール部材３１ａの傾斜部３３ｂへの外枠２０の干渉を回避可能に形成された面取り部２４ｂが設けられている。外枠２０のうち第２部位２０ｂと第３部位２０ｃとの間の隅に、第２のレール部材３１ｂの傾斜部３３ａへの外枠２０の干渉を回避可能に形成された面取り部２４ｃが設けられている。外枠２０のうち第２部位２０ｂと第４部位２０ｄとの間の隅に、第２のレール部材３１ｂの傾斜部３３ｂへの外枠２０の干渉を回避可能に形成された面取り部２４ｄが設けられている。
【００５１】
面取り部２４ａ，２４ｂが設けられていることで、吸込口６の前方からフィルター１０が取り付けられる際における第１のレール部材３１ａの傾斜部３３ａ，３３ｂへの外枠２０の引っ掛かりを低減できる。また、面取り部２４ｃ，２４ｄが設けられていることで、吸込口６の前方からフィルター１０が取り付けられる際における第２のレール部材３１ｂの傾斜部３３ａ，３３ｂへの外枠２０の引っ掛かりを低減できる。また、第１部位２０ａのうち面取り部２４ａと面取り部２４ｂとの間の部分が第１のレール部材３１ａの中央部３２に納められるとともに、第２部位２０ｂのうち面取り部２４ｃと面取り部２４ｄとの間の部分が第２のレール部材３１ｂの中央部３２に納められる。浴室乾燥機１００は、フィルター１０に面取り部２４ａ，２４ｂ，２４ｃ，２４ｄが設けられていることで、前方から本体ベース４へフィルター１０を容易に挿入でき、かつ吸込口６に合わせてフィルター１０を容易に配置することができる。
【００５２】
浴室乾燥機１００は、吸込口６の前方からのフィルター１０の挿入と前方へのフィルター１０の抜き出しとが可能であることで、フィルター１０の挿入および抜き出しのためのスペースが浴室乾燥機１００の側方に確保されていない場合において、フィルター１０を容易に着脱できる。
【００５３】
実施の形態１によると、浴室乾燥機１００は、フィルター１０の外枠２０に取っ手２１ａ，２１ｂが設けられており、吸込口６の側方から本体ベース４へのフィルター１０の挿入と、本体ベース４から側方へのフィルター１０の抜き出しとが可能とされている。また、浴室乾燥機１００は、フィルター１０の面２５ａに取っ手２２が設けられており、吸込口６が向けられた前方から本体ベース４へのフィルター１０の挿入と、本体ベース４から前方へのフィルター１０の抜き出しとが可能とされている。浴室乾燥機１００は、フィルター１０の着脱の障害となる物が浴室乾燥機１００に隣接しているか否かに関わらず、フィルター１０を容易に着脱できる。これにより、浴室乾燥機１００は、吸込口６の周囲の障害の有無に関わらずフィルター１０を容易に着脱できるという効果を奏する。
【００５４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５５】
１  本体部、２  シロッコファン、３  本体ケース、３ａ  側面、４  本体ベース、４ａ  前面、４ｂ，４ｃ  側面、５  フロントパネル、６  吸込口、７  循環口、７ａ  外壁面、８  排気口、９  ファンモーター、１０  フィルター、１１  ヒーター、１２  ダンパー、１３  第１の風路、１４  第２の風路、１５ａ，１５ｂ，１５ｃ，１５ｄ  連結部、１６  開口、１７ａ，１７ｂ  ヒンジ部、１７ｃ  クリップ、１７ｄ  爪部、１９ａ，１９ｂ，１９ｃ  隙間、２０  外枠、２０ａ  第１部位、２０ｂ  第２部位、２０ｃ  第３部位、２０ｄ  第４部位、２１ａ，２１ｂ，２２  取っ手、２３  フィルター面、２４ａ，２４ｂ，２４ｃ，２４ｄ  面取り部、２５  内枠、２５ａ  面、２６ａ  第１端、２６ｂ  第２端、２６ｃ  第３端、２６ｄ  第４端、３１ａ  第１のレール部材、３１ｂ  第２のレール部材、３２  中央部、３３ａ，３３ｂ  傾斜部、３５  リブ、３５ａ  傾斜面、１００  浴室乾燥機。
【図１】
2020159686.tif 000003
【図２】
2020159686.tif 000004
【図３】
2020159686.tif 000005
【図４】
2020159686.tif 000006
【図５】
2020159686.tif 000007
【図６】
2020159686.tif 000008